(57)【要約】【課題】  残り当選数や残り抽選時間等に応じて当選倍率を自動的に変動させて、抽選申込み時間の早い遅いや、抽選申込み数の多い少ないにさ程関係なく、主催者の意図した通りに抽選時間内に、合理的に当選残数を０にする。【解決手段】  抽選の申込みをした複数の抽選申込者が所定期間毎に行なった抽選結果に関する抽選データを当該抽選申込者の抽選コードに対応付けた状態で蓄積し、蓄積されている抽選データのうち、所定期間毎の平均抽選申込人数、及び主催者により設定された抽選期間と景品数を基にした抽選残期間と景品残数を取得し、取得情報に基づいて当選倍率を算出し、当選倍率情報を抽選会場の抽選装置２に送って抽選処理を可能にした抽選情報処理装置３と、抽選処理を実行する抽選装置２とを備えた。【選択図】  図１
2005266842.tif 000002
【特許請求の範囲】
【請求項１】
抽選の申込みをした複数の抽選申込者が所定期間毎に行なった抽選結果に関する抽選データを当該抽選申込者の抽選コードに対応付けた状態で蓄積し、蓄積されている前記抽選データのうち、所定期間毎の平均抽選申込人数、及び主催者により設定された抽選期間と景品数を基にした抽選残期間と景品残数を取得し、当該取得情報に基づいて当選倍率を算出し、当該当選倍率情報を抽選会場の抽選装置に送って抽選処理を可能にした抽選情報処理装置と、抽選処理を実行する前記抽選装置とを備えたことを特徴とする抽選システム。
【請求項２】
２人以上の抽選申込者がグループとして抽選の申込みを行なった場合に、前記抽選情報処理装置における抽選データ蓄積において、前記グループ毎の当選結果のデータを抽選データとして蓄積しており、当該抽選データに基づいて所定期間毎の平均グループ構成人数を併せて集計する請求項１に記載の抽選システム。
【請求項３】
抽選データを管理すると共に、その抽選データに基づいて各種計算処理を行なった結果を出力する抽選情報処理装置であって、抽選装置から送信された当選倍率要求データを、ネットワークを介して受け付ける手段と、受け付けた当選倍率要求データで特定されるデータをデータベースとして格納する手段と、前記データベースから抽出した所定期間毎の抽選結果データに対して所定の計算処理を実行する手段と、前記計算処理実行手段によって実行された計算処理結果を、ネットワークを介して抽選装置に当選倍率データとして送信する手段とから成ることを特徴とする抽選情報処理装置。
【請求項４】
前記抽選装置は、各抽選申込者の有する携帯端末である請求項３に記載の抽選情報処理装置。
【発明の詳細な説明】
【技術分野】
【０００１】
本発明は、抽選システム及び抽選情報処理装置、より詳細には、抽選申込み口数の多寡、抽選終了までの期間（時間）の長短等に応じ当選倍率を随時変更して適用し得る抽選システム及び抽選情報処理装置に関する。
【背景技術】
【０００２】
興行チケットの販売に際しての抽選や、パチスロ、スロットマシーン等の電子式遊技機における入賞確率の設定等においては、抽選の公正を期するために、乱数発生手段を有する電子抽選装置が用いられることが多い。この電子抽選装置を開示するものとして、特開平１０−２０７９７１号公報や、特開２００１−５２２２６号公報等がある。
【０００３】
ところで、各地のテーマパーク内等において、パーク内入場者が自由に鑑賞できるショーが開催されることがある。そのようなショーの開催に際しては、席を確保するために、列を作って長時間並ぶことが一般であり、当然のことながら、並んで待っている間は、他のアトラクション等を回って楽しむことができない。このような場合に便宜を図るために、公正な抽選方式によって、当選者に鑑賞券を配布することが考えられる。
【０００４】
上記状況の場合、ショーの開始時間及び席種・席数（当選数）は確定しているが、単位時間当たりの抽選申込み数は不確定で、ある時間帯はまばらで、ある時間帯には集中するといった事態が生じ得る。また、１つの申込みにおける申込み口数も不確定である。従って、予め当選倍率を設定し、それを抽選終了まで維持することは不適当である。即ち、申込み数が過少の場合は席が余る可能性があり、申込み数が過多の場合は早い時間に抽選終了となり、結局早い者勝ちと余り変わらない結果となってしまうおそれがあるからである。
【０００５】
上記不都合を避けるためには、残り当選数や残り抽選時間等に応じて当選倍率を調整できるようにすることが必要となるが、上記従来の電子抽選装置によった場合は、このような要請に十分応えることはできない。
【特許文献１】特開平１０−２０７９７１号公報
【特許文献２】特開２００１−５２２２６号公報
【発明の開示】
【発明が解決しようとする課題】
【０００６】
本発明は、上記要請に応えるためになされたもので、残り当選数や残り抽選時間等に応じて当選倍率を自動的に変動させて、抽選申込み時間の早い遅いや、抽選申込み数にあまり左右されず、主催者の意図した通りに抽選時間内に、合理的に当選残数を０にすることができ、以て当該抽選を円滑且つ公平に実施することを可能ならしめる抽選システム、並びに、それに用いる抽選情報処理装置を提供することを課題とする。
【課題を解決するための手段】
【０００７】
上記課題を解決するために請求項１に記載の抽選システムは、抽選の申込みをした複数の抽選申込者が所定期間毎に行なった抽選結果に関する抽選データを当該抽選申込者の抽選コードに対応付けた状態で蓄積し、蓄積されている前記抽選データのうち、所定期間毎の平均抽選申込人数、及び主催者により設定された抽選期間と景品数を基にした抽選残期間と景品残数を取得し、当該取得情報に基づいて当選倍率を算出し、当該当選倍率情報を抽選会場の抽選装置に送って抽選処理を可能にした抽選情報処理装置と、抽選処理を実行する前記抽選装置とを備えたことを特徴とする。
【０００８】
ここで、グループを識別するための構成としては、例えば、請求項２に記載の抽選システムのように、２人以上の抽選申込者がグループとして抽選の申込みを行なった場合に、前記抽選情報処理装置における抽選データ蓄積において、前記グループ毎の当選結果のデータを抽選データとして蓄積しており、当該抽選データに基づいて所定期間毎の平均グループ構成人数を併せて集計するように構成すればよい。
【０００９】
上記課題を解決するために請求項３に記載の抽選情報処理装置は、抽選データを管理すると共に、その抽選データに基づいて各種計算処理を行なった結果を出力する抽選情報処理装置であって、抽選装置から送信された当選倍率要求データを、ネットワークを介して受け付ける手段と、受け付けた当選倍率要求データで特定されるデータをデータベースとして格納する手段と、前記データベースから抽出した所定期間毎の抽選結果データに対して所定の計算処理を実行する手段と、前記計算処理実行手段によって実行された計算処理結果を、ネットワークを介して抽選装置に当選倍率データとして送信する手段とから成ることを特徴とする。
【発明の効果】
【００１０】
このように構成された抽選システムによれば、残り当選数や残り抽選時間等に応じて当選倍率を自動的に変動させて、抽選申込み時間の早い遅いや、抽選申込み数の多い少ないにさ程関係なく、主催者の意図した通りに抽選時間内に、合理的に当選残数を０にすることができ、以て当該抽選を円滑且つ公平に実施することを可能ならしめる効果がある。また、各収集データの集計により、日毎や時間帯による抽選結果や抽選申込み状況等を確認し、事後の対策等に利用することができる。
【発明を実施するための最良の形態】
【００１１】
次に、本発明の実施の形態について説明する。本発明に係る抽選システム１は、図１に示すように、抽選会場に設置された抽選装置２、抽選会場全体を管理している抽選情報処理装置３、抽選会場に設置された当選内容に関する情報を抽選申込者に提供するチケット配布端末４等で構成され、それぞれがネットワーク５で接続されている。
【００１２】
抽選装置２は、抽選の手続きを行なうためのものであって、タッチ・パネル６、抽選券リーダ７（抽選コード入力手段）等を備えている。抽選装置２の備える抽選券リーダ７は、抽選申込者が有する抽選券が挿入された状態で、この抽選券に記録されている抽選番号（抽選コード）を読み取るものである。なお、ここに説明する例は、１度抽選の申込みをした抽選申込者の抽選券による再度の申込みは、全く認めないか、所定時間内は認めないものである。また、抽選券として、例えばパーク内の入場券の利用を可能にすることができる。更に、入場券の入場記録システムがある場合には、そのシステムと抽選システムとを接続する（図示されない）ことにより当日の入場記録の有無を確認することができ、当日入場記録のない入場券による抽選は認めないといった対応が可能である。
【００１３】
抽選装置２は、抽選券リーダ７にて抽選番号を読み取った後、抽選の手続きを行なうに当たり、抽選券に記録されている抽選番号の抽選申込者が未だ抽選を行なっていない者であれば、後述する抽選処理において、希望の景品等を指定して抽選するように構成されている。
【００１４】
更に、抽選装置２は、タッチ・パネル６や抽選券リーダ７等が利用されることに伴って、タッチ・パネル６や抽選券リーダ７から出力されてくるデータが入力可能となるように構成されている。抽選装置２は、こうして入力されたデータを抽選情報処理装置３に送信する。抽選装置２から送信されたデータを受信した抽選情報処理装置３では、これらのデータに基づいて、後述する抽選結果データベースを構築する抽選結果データを追加、更新する。
【００１５】
抽選情報処理装置３は、キーボード８、ディスプレイ９等を備えている。この抽選情報処理装置３の内蔵するハード・ディスク装置（図示されない）には、抽選結果データベース（抽選データ蓄積手段）が記憶されている。この抽選結果データベースは、抽選結果に関する抽選結果データ（抽選データ）を、抽選番号毎に対応付けた状態で蓄積している。
【００１６】
なお、この抽選結果データベースにおいては、図２に示すように、各抽選番号に、抽選結果データとして、抽選番号毎の抽選結果、抽選に当選した景品（以下、「鑑賞チケット」とする）の種類及び当選番号が対応付けられている。これらの抽選結果のうち、鑑賞チケットの種類は、例えば、テーマパーク等のショー・ブースに設置された複数の座席を、主催者側で複数種類（本実施形態においては、Ａブロック〜Ｚブロックの２６種類）の鑑賞エリアに分類して、どの鑑賞エリアのチケットが当選したかを指定するものである。
【００１７】
また、抽選情報処理装置３に内蔵されているハード・ディスク装置には、座席データベースが記憶されている。この座席データベースには、テーマパーク等のショー・ブースに設置された座席に関する座席データが、各公演の鑑賞位置を示すエリア毎に対応付けた状態で蓄積されている。
【００１８】
この座席データベースにおいては、図３に示すように、各公演別に、座席データとして、各エリアの全席数、抽選席数、及び当選済席数とが対応付けられている。これらのうち、全席数は、対応するエリアの所定範囲内における全席数を示している。抽選席数は、後述する抽選処理において抽選申込者の抽選対象となる席数を決定するものであって、主催者側によって入力される。また、当選済席数は、対応するエリアの当選済の席数を示している。各エリアの当選済座席が何席かは、抽選情報処理装置３が常時監視しており、抽選中であれば最初に０がセットされ、当選者が出ればカウントされる。
【００１９】
抽選情報処理装置３は、抽選に関するデータをリアルタイムに制御している。しかし、抽選申込者が当選数に対して明らかに少ないような場合には、抽選申込者全員を当選扱いしてもよいことになり、逆に抽選申込者が当選数に対して極端に多すぎる場合には、当選確率を１％に固定する等してもよいこともある。このように人為的に当選確率を固定にして運用する場合には、担当者がキーボード８やディスプレイ９、その他図示してない入出力機器を利用して制御することもできる。また、入出力機器を抽選情報処理装置３に直接接続せずに、ＬＡＮを介して接続される操作端末（図示しない）にて制御するようにしてもよい。
【００２０】
チケット配布端末４は、抽選券リーダ１０、タッチ・パネル１１、チケット発行機１２等を備えている。このチケット配布端末４の備える抽選券リーダ１０は、抽選券が挿入された状態で、この抽選券に記録されている抽選番号を読み取るものである。
【００２１】
次に、抽選装置２が実行する抽選処理を図４に基づいて説明する。この抽選処理は、抽選券リーダ７に抽選券が挿入された後に開始される。まず、抽選装置２は、抽選券に記録された抽選番号を読み取る（Ｓ１０１）。次に、抽選装置２は、当選倍率データを抽選情報処理装置３に問い合わせる（Ｓ１０２）。当選倍率データは、抽選申込者が抽選申込みできる鑑賞チケットの枚数で抽選を行なう場合に、当該抽選申込者に適用される当選倍率を特定可能なデータである。
【００２２】
この処理においては、読み取られた抽選番号と、鑑賞チケットの希望枚数と、抽選日時とが特定可能なデータが、当選倍率データを問い合わせるための当選倍率要求データとして抽選情報処理装置３に送信される。この当選倍率要求データを受信した抽選情報処理装置３からは、後述する当選倍率決定処理によって作成された当選倍率データが送信され、抽選装置２は、この当選倍率データを受信する（Ｓ１０３）。
【００２３】
次いで、抽選装置２は、抽選画面をタッチ・パネル６に表示して、抽選申込者に抽選操作を行なわせる（Ｓ１０４）。この処理においては、受信された当選倍率データによって特定される当選倍率が適用される。このようにして抽選申込者により抽選の申込みが行なわれると、処理された抽選結果が、当該抽選申込者に通知される。
【００２４】
次に、抽選情報処理装置３が実行する当選倍率決定処理を図５に基づいて説明する。この当選倍率決定処理は、抽選装置２から送信された当選倍率要求データを受信した後に開始される。
【００２５】
まず、抽選情報処理装置３は、データ集計処理を行なう（Ｓ２０１）。この処理は、所定期間（時間）毎の平均抽選申込み人数と平均グループ構成人数（申込み口数）、及び主催者により設定された抽選期間（時間）と景品数を基にした抽選残期間と景品残数を集計する処理である。詳細な処理手順については、後述する。
【００２６】
抽選情報処理装置３は、続いて当選倍率算出処理を行なう（Ｓ２０２）。この処理は、当選倍率要求データで特定される抽選番号の抽選申込者に適用する当選倍率を算出する処理である。この処理において、抽選情報処理装置３は、まず、データ集計処理で集計される平均抽選申込み人数と平均グループ構成人数、抽選残期間、及び景品残数から成る補正データを読み出す。次に、補正データに基づいて当選倍率を算出する。その場合、平均抽選申込み人数と平均グループ構成人数が多く、抽選残期間が少なく、景品残数が少ないほど算出される当選倍率が高くなる。
【００２７】
次いで、抽選情報処理装置３は、当選倍率データを作成する（Ｓ２０３）。この処理においては、当選倍率データとして、算出された当選倍率を特定可能なデータが作成される。
【００２８】
次に、抽選情報処理装置３は、作成された当選倍率データを抽選装置２に送信する（Ｓ２０４）。そして、抽選情報処理装置３は、受信した当選倍率要求データを抽選結果データベースに追加する（Ｓ２０５）。この処理においては、当選倍率要求データで特定された鑑賞チケットの希望枚数と、抽選日時とが、抽選番号に対応付けた状態で抽選結果データベースに追加される（図２参照）。
【００２９】
ここでは、抽選申込者がグループでの抽選を行なう際に提出される抽選券が、希望する鑑賞チケットの枚数に相当する数だけ必要になるため、提出される抽選券の枚数を鑑賞チケットの希望枚数として特定していることになる。
【００３０】
次に、抽選情報処理装置３が実行するデータ集計処理を図６に基づいて説明する。この処理は、図５におけるデータ集計処理の詳細な処理手順である。まず、抽選情報処理装置３は、主催者側で設定される期間に対応する抽選結果データを抽選結果データベースから読み出す（Ｓ３０１）。
【００３１】
次いで、抽選情報処理装置３は、読み出された抽選結果データを構成する所定期間毎の抽選の平均抽選申込み人数と平均グループ構成人数を算出する（Ｓ３０２）。そして、抽選情報処理装置３は、主催者側で設定された景品数に対応する景品残数を座席データベースから読み出す（Ｓ３０３）。この処理においては、座席データを構成する当選席数を、設定された抽選席数から差し引いた座席データが読み出される。次に、抽選情報処理装置３は、主催者側で設定された抽選期間の、残り時間を算出する（Ｓ３０４）。
【００３２】
そして、抽選情報処理装置３は、これらの処理で算出された平均抽選申込み人数と平均グループ構成人数、抽選残期間、及び景品残数を、当選倍率算出処理で算出される当選倍率の変動に影響すべき補正データとして決定する（Ｓ３０５）。
【００３３】
次に、チケット配布端末４が実行する鑑賞チケット配布処理を図７に基づいて説明する。この鑑賞チケット配布処理は、抽選処理で当選して鑑賞チケットを受け取ろうとする当選者によって抽選券リーダ１０に抽選券が挿入された後に開始される。
【００３４】
まず、チケット配布端末４は、抽選券に記録された抽選番号を読み取る（Ｓ４０１）。次に、チケット配布端末４は、読み取られた抽選番号の抽選申込者が、鑑賞チケットを配布すべき当選者であるかどうかを抽選情報処理装置３に問い合わせる（Ｓ４０２）。この処理においては、鑑賞チケットを配布すべき当選者であるかどうかを問い合わせるためのチケット配布確認データとして、読み取られた抽選番号を特定可能なデータが抽選情報処理装置３に送信される。
【００３５】
このチケット配布確認データを受信した抽選情報処理装置３からは、鑑賞チケットを配布すべき当選者であるか否かを判断して、鑑賞チケットを配布すべき当選者である場合には、配布する鑑賞チケット（配布される鑑賞チケットの種類・枚数）を特定可能なチケット配布許可データが送信されてくる。一方、鑑賞チケットを配布すべき当選者でない場合には、チケット配布拒否データが送信されてくる。
【００３６】
次に、チケット配布端末４は、抽選情報処理装置３から送信されてくるデータを受信する（Ｓ４０３）。この処理で受信されたデータが、チケット配付許可データである場合（Ｓ４０４：ＹＥＳ）、チケット配付端末４は、チケット出力処理を行なう（Ｓ４０５）。この処理において、チケット配付端末は、まず、タッチ・パネル１１に当選情報が表示された状態でタッチ・パネル１１による入力操作が行なわれるまで待機する。そして、当選情報が表示された状態でタッチ・パネル１１による入力操作が行なわれた場合、受信したチケット配付許可データで特定される鑑賞チケットを、チケット発行機１２から出力する。
【００３７】
一方、受信されたデータが、チケット配付拒否データである場合（Ｓ４０４：ＮＯ）、チケット配付端末４は、情報表示処理を行なう（Ｓ４０６）。この処理においては、チケットが配付されるべき当選者でない旨の情報が表示された状態でタッチ・パネル１１による確認操作が行なわれる。こうして、鑑賞チケットの配付許可又は拒否の処理が行なわれた後、本鑑賞チケット配付処理を終了する。
【００３８】
以上、本発明の実施形態について説明したが、本発明は上記の一実施形態に限定される訳ではなく、この他にも様々な形態で実施することができる。例えば、本実施形態においては、抽選装置２の備える抽選券リーダ７、又は、チケット配布端末４の備える抽選券リーダ１０を利用して、抽選申込者に抽選番号を入力させるように構成されたものを例示したが、抽選番号は、他の方法で抽選申込者に入力させるように構成してもよい。例えば抽選装置２の備えるタッチ・パネル６、又は、チケット配布端末４の備えるタッチ・パネル１１によって、抽選申込者に直接抽選番号と暗証番号を入力させるように構成してもよい。この場合、抽選申込者が抽選券を紛失したり、盗難されたりすることによって、不正に他の第三者に使用されるといったことを防止できる。
【００３９】
また、本実施形態においては、抽選装置とチケット配布端末とを別々に設置するように構成されたものを例示したが、抽選装置機能とチケット配布機能の両方を実施し得る装置を使用してもよい。この場合、当選者にはその場で鑑賞チケットを発行することができる。
【００４０】
また、本実施形態においては、抽選処理を実行する抽選装置２を抽選会場に設置するように構成されたものを例示したが、抽選装置２で行なう処理を抽選申込者の所持するインターネットに接続可能な携帯電話やＰＤＡ等で行なうことができるように構成してもよい（図８参照）。この場合、抽選申込者は、このような携帯電話やＰＤＡ等からインターネットを介して抽選情報処理装置３にアクセスして抽選処理を行なうが、抽選のために必要なデータのインプットは、携帯電話やＰＤＡ等のボタン操作で入力する。なお、図９は、抽選申込者の操作による携帯電話やＰＤＡ等の画面の遷移を示す図である。
【図面の簡単な説明】
【００４１】
【図１】本発明に係る抽選システムの全体構成を示す図である。
【図２】本発明に係る抽選結果データベースのデータ構造を示す図である。
【図３】本発明に係る座席データベースのデータ構造を示す図である。
【図４】本発明に係る抽選処理の処理手順のフローチャートである。
【図５】本発明に係る当選倍率決定処理の処理手順のフローチャートである。
【図６】本発明に係るデータ集計処理の処理手順のフローチャートである。
【図７】本発明に係る鑑賞チケット配付処理の処理手順のフローチャートである。
【図８】本発明に係る抽選システムの別の実施例を説明するための概略図である。
【図９】本発明に係る抽選システムの別の実施例の操作画面を示す図である。
【符号の説明】
【００４２】
１    抽選システム
２    抽選装置
３    抽選情報処理装置
４    チケット配布端末
５    ネットワーク
６    タッチ・パネル
７    抽選券リーダ
８    キーボード
９    ディスプレイ
１０  抽選券リーダ
１１  タッチ・パネル
１２  チケット発行機
【図１】
2005266842.tif 000003
【図２】
2005266842.tif 000004
【図３】
2005266842.tif 000005
【図４】
2005266842.tif 000006
【図５】
2005266842.tif 000007
【図６】
2005266842.tif 000008
【図７】
2005266842.tif 000009
【図８】
2005266842.tif 000010
【図９】
2005266842.tif 000011